(57)【要約】【課題】小型軽量として低コストで浴室と他室の暖房を行うことができる浴室暖房装置を提供する。【解決手段】浴室ＢＲの空気が循環する浴室循環路１１に循環ファン２と浴室加熱部３とを設ける。浴室循環路１１の連通口１２に換気路１３を接続する。他室ＤＲの空気が循環する他室循環路２２に換気ファン５と他室加熱部４とを設ける。他室循環路２２は、他室吸込路と、他室吸込路の接続部から他室吹出路の接続部までの換気路と、他室吹出路とにより構成する。換気路１３における他室吹出路１７の接続部２１の下流側に換気路開閉ダンパ２３を設ける。換気ファン５を、換気路１３における他室吸込路１６の接続部２０と他室吹出路１７の接続部２１との間に設置する。【選択図】図１
2019135421.tif 000002
【特許請求の範囲】
【請求項１】
上流端が浴室内に開口した浴室吸込口に接続され、下流端が浴室内に開口した浴室吹出口に接続された浴室循環路と、
浴室循環路内に設置され、浴室吸込口から取り込んだ空気を浴室吹出口へ送出する循環ファンと、
浴室循環路内に設置され、循環ファンが取り込んだ浴室内の空気を加熱する浴室加熱部と、
上流端が浴室循環路内に開口した連通口に接続され、下流端が屋外へ連通する排気口に接続された換気路と、
換気路内に設置され、連通口を介して取り込んだ浴室内の空気を排気口へ送出する換気ファンと、
上流端が他室に開口した他室吸込口に接続され、下流端が換気ファンより上流側の換気路に接続された他室吸込路と、
上流端が換気ファンより下流側の換気路に接続され、下流端が他室に開口した他室吹出口に接続された他室吹出路と、
他室吸込路、他室吸込路の接続部から他室吹出路の接続部までの換気路、及び、他室吹出路により構成された他室循環路と、
他室循環路内に設置され、他室循環路内の空気を加熱する他室加熱部と、
換気路における他室吹出路の接続部の下流側に設けられ、換気路を閉塞しているとき他室吹出路を開放し、換気路を開放しているとき他室吹出路を閉塞する換気路開閉ダンパとを備え、
換気ファンは、換気路における他室吸込路の接続部と他室吹出路の接続部との間の他室循環路内に設置されていることを特徴とする浴室暖房装置。
【請求項２】
請求項１記載の浴室暖房装置において、
他室加熱部は、換気路における他室吸込路の接続部と他室吹出路の接続部との間の他室循環路内に設置されていることを特徴とする浴室暖房装置。
【請求項３】
請求項２記載の浴室暖房装置において、
換気路は、換気路に流入した空気が他室加熱部を迂回して流れるバイパス路と、バイパス路を開閉するバイパス路開閉ダンパとを備えていることを特徴とする浴室暖房装置。
【請求項４】
請求項３記載の浴室暖房装置において、
換気路開閉ダンパを作動させて換気路を開放すると共に換気ファンを作動させることにより換気運転を実行する換気運転制御部を備え、
換気運転制御部は、換気運転実行時に、バイパス路開閉ダンパを作動させてバイパス路を開放することを特徴とする浴室暖房装置。
【請求項５】
請求項１記載の浴室暖房装置において、
他室加熱部は、他室吹出路内に設置されていることを特徴とする浴室暖房装置。
【請求項６】
請求項５記載の浴室暖房装置において、
連通口を開閉する連通口開閉ダンパと、
換気ファンの作動中に他室加熱部を作動させることにより他室乾燥運転を実行する他室乾燥運転制御部とを備え、
他室乾燥運転制御部は、他室乾燥運転実行時に、連通口開閉ダンパを作動させて連通口を閉塞すると共に、換気路開閉ダンパを換気路の閉塞位置と他室吹出路の閉塞位置との間の中間位置に位置させて換気路と他室吹出路との両方を開放することを特徴とする浴室暖房装置。
【請求項７】
請求項６記載の浴室暖房装置において、
浴室内の湿度を検出する湿度検出手段と、
換気路開閉ダンパを作動させて換気路を開放すると共に換気ファンを作動させることにより換気運転を実行する換気運転制御部とを備え、
換気運転制御部は、換気運転実行中に他室乾燥運転制御部による他室乾燥運転が実行されたとき、湿度検出手段による検出湿度が所定値以上の場合、連通口開閉ダンパを作動させて連通口を閉塞し、湿度検出手段による検出湿度が所定値未満の場合、連通口開閉ダンパを作動させて連通口を開放することを特徴とする浴室暖房装置。
【発明の詳細な説明】
【技術分野】
【０００１】
本発明は、浴室暖房装置に関する。
【背景技術】
【０００２】
従来、浴室を暖房するために浴室の天井裏に浴室暖房装置が設置されるが、浴室だけでなく他室である脱衣室との２室の暖房を行うために、脱衣室用の暖房ユニットを備える浴室暖房装置が知られている（例えば、下記特許文献１参照）。
【０００３】
このものでは、浴室の天井裏に設置した浴室暖房装置が備える脱衣室用の暖房ユニットから温風ダクトを延ばし、この温風ダクトから脱衣室へ温風を供給することにより脱衣室の暖房が行われる。更に、浴室や脱衣室を換気するために共通の換気路と換気ファンとを備えている。
【先行技術文献】
【特許文献】
【０００４】
【特許文献１】特開２００５−９０９０５号公報
【発明の概要】
【発明が解決しようとする課題】
【０００５】
しかし、上記従来の構成を採用すると、浴室暖房装置として１台であっても、他室である脱衣室用の暖房ユニットを備えるために実質的には２台の暖房装置と同様であり、換気路と換気ファンとを２室共通で用いても、浴室暖房用のファンと脱衣室暖房用のファンとが必要であることにより、装置構成が複雑となって大型化し、その重量も大となる。このため、浴室の天井裏に大きな設置スペースを確保する必要があるだけでなく、２台の暖房装置を浴室と他室とに設置するものと同様にコストが高い。
【０００６】
上記の点に鑑み、本発明は、小型軽量として低コストで浴室と他室の暖房を行うことができる浴室暖房装置を提供することを目的とする。
【課題を解決するための手段】
【０００７】
かかる目的を達成するために、本発明は、上流端が浴室内に開口した浴室吸込口に接続され、下流端が浴室内に開口した浴室吹出口に接続された浴室循環路と、浴室循環路内に設置され、浴室吸込口から取り込んだ空気を浴室吹出口へ送出する循環ファンと、浴室循環路内に設置され、循環ファンが取り込んだ浴室内の空気を加熱する浴室加熱部と、上流端が浴室循環路内に開口した連通口に接続され、下流端が屋外へ連通する排気口に接続された換気路と、換気路内に設置され、連通口を介して取り込んだ浴室内の空気を排気口へ送出する換気ファンと、上流端が他室に開口した他室吸込口に接続され、下流端が換気ファンより上流側の換気路に接続された他室吸込路と、上流端が換気ファンより下流側の換気路に接続され、下流端が他室に開口した他室吹出口に接続された他室吹出路と、他室吸込路、他室吸込路の接続部から他室吹出路の接続部までの換気路、及び、他室吹出路により構成された他室循環路と、他室循環路内に設置され、他室循環路内の空気を加熱する他室加熱部と、換気路における他室吹出路の接続部の下流側に設けられ、換気路を閉塞しているとき他室吹出路を開放し、換気路を開放しているとき他室吹出路を閉塞する換気路開閉ダンパとを備え、換気ファンは、換気路における他室吸込路の接続部と他室吹出路の接続部との間の他室循環路内に設置されていることを特徴とする。
【０００８】
換気路における他室吸込路の接続部と他室吹出路の接続部との間の他室循環路内に換気ファンが設置されていることにより、換気運転と他室の暖房運転との両方で換気ファンを用いることができる。即ち、他室加熱部により他室循環路内の空気を加熱すると共に、換気路を閉塞した換気路開閉ダンパが他室吹出路を開放し、換気ファンが作動することにより、加熱された空気が他室吹出口へ向かって流れて他室の暖房が行われる。また、他室吹出路を閉塞した換気路開閉ダンパが換気路を開放し、換気ファンが作動することにより、空気が排気口へ向かって流れて浴室と他室との一方又は両方の換気が行われる。このように、本発明によれば、他室の暖房用のファンが不要となる。よって、装置を小型軽量とすることができ、設置時の施工が容易となると共に製造コストも安価に抑えることができる。
【０００９】
また、本発明において、他室加熱部は、換気路における他室吸込路の接続部と他室吹出路の接続部との間の他室循環路内に設置されていることを特徴とする。換気路における他室吸込路の接続部と他室吹出路の接続部との間の他室循環路内には、換気ファンが設置されているため、換気ファンを設置するためのスペースの近傍に他室加熱部を設置するスペースが確保しやすい。これにより、他室加熱部を換気ファンの近接位置に設けてコンパクトに構成することができ、また、大型化を防止しながら比較的大きな他室加熱部を設けて暖房能力を向上させることができる。
【００１０】
このとき、換気路は、換気路に流入した空気が他室加熱部を迂回して流れるバイパス路と、バイパス路を開閉するバイパス路開閉ダンパとを備えていることが好ましい。これにより、他室加熱部による空気の加熱が不要なときに、バイパス路を開放することで、換気路を流れる空気が他室加熱部を通過しないようにすることができる。
【００１１】
具体的には、換気路開閉ダンパを作動させて換気路を開放すると共に換気ファンを作動させることにより換気運転を実行する換気運転制御部を備え、換気運転制御部は、換気運転実行時に、バイパス路開閉ダンパを作動させてバイパス路を開放する。換気運転制御部が換気運転の際にバイパス路を開放させることにより、空気が他室加熱部を通過する場合に比べて圧力損失を小さくすることができる。よって、換気ファンの回転数を下げることが可能となり、換気ファンの回転数を下げることにより騒音の低減や電力消費を抑えることができる。更に、空気がバイパス路を通ることにより、空気に搬送された塵埃等の異物も空気と共にバイパス路に向かう。これにより、他室加熱部への塵埃等の異物の付着を軽減することができる。
【００１２】
また、本発明において、他室加熱部は、他室吹出路内に設置されていることを特徴とする。他室加熱部が他室吹出路内に設置されていることで、他室吹出路を閉塞した換気路開閉ダンパが換気路を開放し、換気ファンが作動する際には、空気は他室加熱部による抵抗を受けることなく換気路を通過する。これにより、換気路に他室加熱部を設けた場合に比べて圧力損失を小さくすることができる。よって、換気ファンの回転数を下げることが可能となり、換気ファンの回転数を下げることにより騒音の低減や電力消費を抑えることができる。更に、換気の際の空気に載って塵埃等の異物が換気路内を通過しても、他室吹出路内に設置されている他室加熱部には異物が接触し難い。よって、他室加熱部への塵埃等の異物の付着を軽減することができる。
【００１３】
また、本発明においては、連通口を開閉する連通口開閉ダンパと、換気ファンの作動中に他室加熱部を作動させることにより他室乾燥運転を実行する他室乾燥運転制御部とを備え、他室乾燥運転制御部は、他室乾燥運転実行時に、連通口開閉ダンパを作動させて連通口を閉塞すると共に、換気路開閉ダンパを換気路の閉塞位置と他室吹出路の閉塞位置との間の中間位置に位置させて換気路と他室吹出路との両方を開放することが好ましい。
【００１４】
他室加熱部が他室吹出路内に設置されていることで他室乾燥運転を効率よく行うことができる。即ち、他室乾燥運転を実行するとき、他室乾燥運転制御部は、連通口開閉ダンパを作動させて連通口を閉塞し、換気路開閉ダンパを作動させて換気路と他室吹出路との両方を開放する。この状態で換気ファンが作動すると、他室の空気が他室吸込口から他室吸込路に入り、その後、換気路を流れると、空気の一部は他室吹出路へ向かい、残りは排気口へ向かう。このとき、換気路から排気口へ向かう空気は、他室加熱部によって加熱されることなく排出され、他室吹出路へ向かった空気のみが他室加熱部によって加熱される。これにより、他室加熱部の加熱によって生成された乾燥空気を、無駄なく他室に送り込むことができるので、他室乾燥運転を効率よく行うことができる。
【００１５】
また、浴室内の湿度を検出する湿度検出手段と、換気路開閉ダンパを作動させて換気路を開放すると共に換気ファンを作動させることにより換気運転を実行する換気運転制御部とを備え、換気運転制御部は、換気運転実行中に他室乾燥運転制御部による他室乾燥運転が実行されたとき、湿度検出手段による検出湿度が所定値以上の場合、連通口開閉ダンパを作動させて連通口を閉塞し、湿度検出手段による検出湿度が所定値未満の場合、連通口開閉ダンパを作動させて連通口を開放することが好ましい。
【００１６】
浴室の換気運転中に他室乾燥運転を行うとき、浴室の湿気が他室に流入してしまうことが考えられる。そこで、換気運転制御部は、湿度検出手段による浴室内の検出湿度が所定値以上の場合、連通口開閉ダンパの作動により連通口を閉塞し、浴室から換気路への湿気の移動を防止する。これにより、浴室の湿気が他室に流れ込むことを防止することができる。
【００１７】
一方、換気運転制御部は、湿度検出手段による浴室内の検出湿度が所定値未満の場合、連通口開閉ダンパの作動により連通口を開放するので、浴室の換気運転を実行しながら他室乾燥運転を実行することができる。
【図面の簡単な説明】
【００１８】
【図１】本発明の第１の実施形態の構成を模式的に示す説明図。
【図２】第１の実施形態における一部の変形例を示す説明図。
【図３】制御部の要部の構成を示すブロック図。
【図４】本発明の第２の実施形態の構成を模式的に示す説明図。
【発明を実施するための形態】
【００１９】
本発明の実施形態を図面に基づいて説明する。第１の実施形態の浴室暖房装置１は、図１に模式的に示すように、家屋内で互いに隣接する浴室ＢＲと脱衣室ＤＲとの天井裏に設置されている。脱衣室ＤＲは、本発明における他室に相当する。
【００２０】
浴室暖房装置１は、循環ファン２と、浴室暖房用放熱器３（浴室加熱部）と、脱衣室暖房用放熱器４（他室加熱部）と、換気ファン５とを備えている。
【００２１】
循環ファン２は、強制的に空気流を生成する。循環ファン２の上流側には、浴室ＢＲ内に向かって開口する浴室吸込口６と、浴室吸込口６から循環ファン２にかけての空気流を案内する浴室吸込路７とが設けられている。浴室吸込路７には、浴室ＢＲから吸い込んだ空気の湿度を検出する湿度センサ８（湿度検出手段）が設けられている。
【００２２】
浴室暖房用放熱器３は、循環ファン２の上流側に設けられている。なお、浴室暖房用放熱器３及び脱衣室暖房用放熱器４には、図外の熱源機が弁装置等を介して接続されており、熱源機と浴室暖房用放熱器３及び脱衣室暖房用放熱器４のうちの少なくとも一方との間で熱媒（水、不凍液等）が循環される。
【００２３】
循環ファン２の下流には、浴室吹出路９が設けられている。浴室吹出路９の下流端には、浴室ＢＲに向かって開口する浴室吹出口１０が設けられている。そして、浴室吸込路７及び浴室吹出路９により浴室循環路１１が形成されている。
【００２４】
浴室吹出路９には、連通口１２を介して換気路１３の上流端が接続されている。連通口１２には、連通口１２を開閉する連通口開閉ダンパ１４が設けられている。換気路１３の下流端は排気口１５に接続されている。排気口１５は、家屋の外壁Ｗを貫通して屋外へ向かって開口している。連通口開閉ダンパ１４は、浴室暖房装置１の動作状態に応じて連通口１２を開放又は閉塞する。
【００２５】
換気路１３には、脱衣室吸込路１６（他室吸込路）と脱衣室吹出路１７（他室吹出路）とが接続されている。脱衣室吸込路１６は、上流端が脱衣室ＤＲ内に向かって開口する脱衣室吸込口１８（他室吸込口）に接続され、下流端が換気路１３に接続されている。脱衣室吹出路１７は、上流端が換気路１３に接続され、下流端が脱衣室ＤＲ内に向かって開口する脱衣室吹出口１９（他室吹出口）に接続されている。
【００２６】
換気路１３には、脱衣室暖房用放熱器４と換気ファン５とが設けられている。脱衣室暖房用放熱器４は、換気ファン５の上流側に位置している。換気路１３と脱衣室吸込路１６（他室吸込路）との接続部（第１接続部２０）は、脱衣室暖房用放熱器４の上流側に位置している。換気路１３と脱衣室吹出路１７（他室吹出路）との接続部（第２接続部２１）は、換気ファン５の下流側に位置している。
【００２７】
そして、換気路１３における第１接続部２０から第２接続部２１までを含む脱衣室吸込路１６及び脱衣室吹出路１７により（即ち、脱衣室吸込路１６と、換気路１３における第１接続部２０と第２接続部２１との間の部分と、脱衣室吹出路１７とにより）脱衣室循環路２２が形成されている。
【００２８】
換気路１３における第２接続部２１の下流側には、換気路開閉ダンパ２３が設けられている。換気路開閉ダンパ２３は、換気路１３を開放しているとき、脱衣室吹出路１７を閉塞し、換気路１３を閉塞しているとき、脱衣室吹出路１７を開放する。
【００２９】
また、換気路１３には、第１接続部２０と脱衣室暖房用放熱器４の間の換気路１３から分岐して、脱衣室暖房用放熱器４と換気ファン５との間の換気路１３に合流するバイパス路２４が設けられている。バイパス路２４には、バイパス路開閉ダンパ２５が設けられている。
【００３０】
換気ファン５の作動により空気流が生成されているとき、バイパス路開閉ダンパ２５がバイパス路２４を開放すると、空気流は、脱衣室暖房用放熱器４を通過するよりも抵抗の低いバイパス路２４に流入する。
【００３１】
なお、図１においては、バイパス路２４の中途位置にバイパス路開閉ダンパ２５が設けられている構成を示したが、これ以外に、図２に変形例を示すように、バイパス路開閉ダンパ２６を換気路１３とバイパス路２４との境界（分岐部２７）に設けて、換気路１３とバイパス路２４とで空気流の送り先を切り換えるようにしてもよい。即ち、図２の変形例によるバイパス路開閉ダンパ２６は、バイパス路２４を閉塞しているとき、換気路１３の脱衣室暖房用放熱器４側を開放し、バイパス路２４を開放しているとき、換気路１３の脱衣室暖房用放熱器４側を閉塞する。
【００３２】
更に、図示しないが、バイパス路の他の変形例を挙げると、換気路１３において、脱衣室暖房用放熱器４の上流側に換気ファン５が配設されている場合、バイパス路は、換気ファン５と脱衣室暖房用放熱器４の間の換気路１３から分岐し、脱衣室暖房用放熱器４と第２接続部２１の間の換気路１３に合流するように設けられる。
【００３３】
次に、浴室暖房装置１による暖房運転、換気運転、及び乾燥運転について、図１及び図３を参照して説明する。浴室暖房装置１は、図３に示すように、各運転時に各部の制御を行うコントローラ２８を備えている。
【００３４】
コントローラ２８は、その機能として、浴室ＢＲ及び脱衣室ＤＲの換気運転（２４時間換気運転含む）を実行する換気運転制御部２９、脱衣室暖房用放熱器４の凍結防止運転を実行する凍結防止運転制御部３０、浴室ＢＲの暖房運転を実行する浴室暖房運転制御部３１、浴室ＢＲの乾燥運転を実行する浴室乾燥運転制御部３２、脱衣室ＤＲの暖房運転を実行する他室暖房運転制御部３３、脱衣室ＤＲの乾燥運転を実行する他室乾燥運転制御部３４を備えており、図外の浴室リモコンや脱衣室リモコン等の使用者による操作に応じて、予め記憶されたプログラムに従って制御を行う。
【００３５】
浴室ＢＲ及び脱衣室ＤＲの換気運転を行うとき、換気運転制御部２９は、連通口開閉ダンパ１４により連通口１２を開放し、バイパス路開閉ダンパ２５（２６）によりバイパス路２４を開放し、換気路開閉ダンパ２３により換気路１３を開放する一方、換気路開閉ダンパ２３により脱衣室吹出路１７を閉塞する。そして、換気ファン５を作動させることにより、浴室吸込口６から吸い込まれた浴室ＢＲ内の空気と、脱衣室吸込口１８から吸い込まれた脱衣室ＤＲ内の空気とが換気路１３に入り、排気口１５から屋外へ強制的に排出される。
【００３６】
このとき、バイパス路開閉ダンパ２５（２６）によりバイパス路２４が開放されていることにより、換気ファン５によって生成される空気流は、通過抵抗の大きい脱衣室暖房用放熱器４を迂回して通過抵抗の小さいバイパス路２４へ向かう。
【００３７】
このように、換気ファン５による空気流をバイパス路２４へ送ることにより、換気の際の空気流の圧力損失を脱衣室暖房用放熱器４を通過させる場合に比べて小さくすることができる。よって、換気ファン５の回転数を下げることが可能となり、換気ファン５の回転数を下げることにより騒音の低減や電力消費を抑えることができる。更に、空気流がバイパス路２４へ向かって流れて脱衣室暖房用放熱器４を迂回することにより、空気が搬送してくる塵埃等の異物が脱衣室暖房用放熱器４に付着し難い。
【００３８】
また、凍結防止運転制御部３０は、脱衣室暖房用放熱器４や熱媒、熱媒の循環路の凍結を防止するため、外気温の低下を検出して脱衣室暖房用放熱器４に高温の熱媒を循環させる。このとき、換気運転制御部２９が例えば２４時間換気運転を実行している場合、バイパス路開閉ダンパ２５（２６）によりバイパス路２４が開放されているので、空気流によって脱衣室暖房用放熱器４が冷却されてしまうことが防止でき、経済的である。
【００３９】
浴室ＢＲの暖房運転では、浴室暖房運転制御部３１は、連通口開閉ダンパ１４により浴室循環路１１と換気路１３との連通を遮断すると共に、浴室暖房用放熱器３と循環ファン２とを作動させる。これにより浴室循環路１１に温風が流れ、浴室ＢＲの暖房が行われる。
【００４０】
脱衣室ＤＲの暖房運転では、他室暖房運転制御部３３は、連通口開閉ダンパ１４により連通口１２を閉塞すると共に、換気路開閉ダンパ２３により脱衣室吹出路１７を開放する一方、換気路１３を閉塞する。更に、バイパス路開閉ダンパ２５（２６）によりバイパス路２４を閉塞し、脱衣室暖房用放熱器４と換気ファン５とを作動させる。これにより脱衣室循環路２２に温風が流れ、脱衣室ＤＲの暖房が行われる。このとき、脱衣室循環路２２における温風の循環に換気ファン５が用いられるので、脱衣室ＤＲの暖房運転専用のファンが不要であり、小型軽量として低コストで脱衣室ＤＲの暖房を行うことができる。
【００４１】
浴室ＢＲの乾燥運転を行うとき、浴室乾燥運転制御部３２は、連通口開閉ダンパ１４により連通口１２を開放し、換気路開閉ダンパにより換気路１３を開放する一方、脱衣室吹出路１７を閉塞する。次いで、循環ファン２と浴室暖房用放熱器３と換気ファン５とを作動させる。
【００４２】
これにより、浴室ＢＲから浴室吸込口６に吸い込まれた湿気を含む空気の一部が、浴室暖房用放熱器３によって加熱されて乾燥空気として浴室吹出路９を介して浴室ＢＲへ送られ、残りが湿気として換気路１３を介して排気口１５から排出される。
【００４３】
脱衣室ＤＲの乾燥運転を行うとき、他室乾燥運転制御部３４は、連通口開閉ダンパ１４によって連通口１２を閉塞し、バイパス路開閉ダンパ２５（２６）によりバイパス路２４を閉塞し、換気路開閉ダンパ２３を換気路１３の閉塞位置と脱衣室吹出路１７の閉塞位置との中間に位置させる。そして、脱衣室暖房用放熱器４と換気ファン５とを作動させる。
【００４４】
これにより、脱衣室ＤＲから脱衣室吸込口１８に吸い込まれた湿気を含む空気が、脱衣室暖房用放熱器４によって加熱された乾燥空気の一部が脱衣室吹出路１７を介して脱衣室ＤＲへ送られ、残りが換気路１３を介して排気口１５から排出される。
【００４５】
また、換気運転中に脱衣室ＤＲの乾燥運転を行うとき、換気運転制御部２９は、連通口開閉ダンパ１４によって連通口１２を開放した状態とするが、他室乾燥運転制御部３４は、浴室ＢＲに設置された湿度センサ８の検出湿度に応じて連通口開閉ダンパ１４による連通口１２の開閉を行う。
【００４６】
即ち、他室乾燥運転制御部３４は、湿度センサ８の検出湿度が所定値以上である場合、連通口開閉ダンパ１４によって連通口１２を閉塞した状態を維持して、上述の乾燥運転を実行する。また、他室乾燥運転制御部３４は、湿度センサ８の検出湿度が所定値未満である場合、連通口開閉ダンパ１４によって連通口１２を開放した状態を維持して、上述の乾燥運転を実行する。このようにすることにより、浴室ＢＲの湿気を含んだ空気流の脱衣室ＤＲへの流入を防止することができる。
【００４７】
なお、第１の実施形態においては、図１に示すように、脱衣室暖房用放熱器４が換気路１３における第１接続部２０と第２接続部２１との間に設けらているものを示したが、脱衣室暖房用放熱器４の設置位置は、これに限らない。そこで、第２の実施形態について図４を参照して説明する。なお、第１の実施形態と同一構成の部分については、図４において図１と同じ符号を付してその説明を省略する。
【００４８】
図４に示すように、第２の実施形態による浴室暖房装置３５においては、脱衣室暖房用放熱器３６が脱衣室吹出路３７に設けられている。脱衣室暖房用放熱器３６を脱衣室吹出路３７に設けることにより、換気運転の際に換気路１３で換気ファン５によって生成される気流が脱衣室暖房用放熱器３６を通過することがない。これにより、換気の際の空気流の圧力損失を低減することができる。よって、換気ファン５の回転数を下げることが可能となり、換気ファン５の回転数を下げることにより騒音の低減や電力消費を抑えることができる。更に、換気運転の際に空気が搬送してくる塵埃等の異物が脱衣室暖房用放熱器３６に付着することもない。
【００４９】
更に、第２の実施形態による浴室暖房装置３５においても、図３に示す他室乾燥運転制御部３４によって脱衣室ＤＲの乾燥運転を行うとき、換気路開閉ダンパ２３を換気路１３の閉塞位置と脱衣室吹出路３７の閉塞位置との中間に位置させ、換気ファン５と脱衣室暖房用放熱器３６とを作動させる。
【００５０】
これにより、図４に示すように、脱衣室ＤＲから脱衣室吸込口１８に吸い込まれた湿気を含む空気の一部が脱衣室吹出路３７を介して脱衣室ＤＲへ送られ、残りが換気路１３を介して排気口１５から排出される。このとき、脱衣室暖房用放熱器３６が脱衣室吹出路３７に設けられていることにより、脱衣室暖房用放熱器３６によって生成した乾燥空気を全て脱衣室ＤＲに供給することができる。従って、第１の実施形態の構成を採用した場合よりも効率よく脱衣室ＤＲの乾燥運転を行うことができる。
【００５１】
なお、第１の実施形態の構成を採用した場合には脱衣室ＤＲの乾燥運転を行わず、第２の実施形態の構成を採用した場合にのみ脱衣室ＤＲの乾燥運転を実行するようにしてもよい。
【００５２】
また、２４時間換気運転中に凍結防止運転を行うときにも、換気路開閉ダンパ２３によって脱衣室吹出路３７を閉塞すれば、換気中の空気流が脱衣室暖房用放熱器３６に接触することがなく、脱衣室暖房用放熱器３６が空気流により冷却されるのを防止することができる。
【００５３】
更に、第１の実施形態において図１に示したバイパス路２４及びバイパス路開閉ダンパ２５（２６）が、第２の実施形態による浴室暖房装置３５においては不要となる。これにより、構造を一層簡単にして小型軽量することができる。
【００５４】
なお、上記の各実施形態においては、他室として脱衣室ＤＲを挙げて説明したが、脱衣室ＤＲ以外の他室であっても本発明を採用して上記と同様の効果を得ることができる。
【符号の説明】
【００５５】
ＢＲ…浴室、ＤＲ…脱衣室（他室）、１，３５…浴室暖房装置、２…循環ファン、３…浴室暖房用放熱器（浴室加熱部）、４，３６…脱衣室暖房用放熱器（他室加熱部）、５…換気ファン、６…浴室吸込口、１０…浴室吹出口、１１…浴室循環路、１２…連通口、１３…換気路、１５…排気口、１６…脱衣室吸込路（他室吸込路）、１７，３７…脱衣室吹出路（他室吹出路）、１８…脱衣室吸込口（他室吸込口）、１９…脱衣室吹出口（他室吹出口）、２０…第１接続部（換気路における他室吸込路の接続部）、２１…第２接続部（換気路における他室吹出路の接続部）、２２…脱衣室循環路（他室循環路）、２３…換気路開閉ダンパ、２４…バイパス路、２５，２６…バイパス路開閉ダンパ、２９…換気運転制御部、１４…連通口開閉ダンパ、３４…他室乾燥運転制御部、８…湿度センサ（湿度検出手段）。
【図１】
2019135421.tif 000003
【図２】
2019135421.tif 000004
【図３】
2019135421.tif 000005
【図４】
2019135421.tif 000006